(57)【要約】      （修正有）【課題】装飾が施されて文字入力が行われた場合、その後の入力操作において装飾が施された文字の選択を可能とする情報処理端末を提供する。【解決手段】文字入力が行われる際に、制御ユニット１は、入力される文字と、この文字に対して施された装飾情報を組み合わせて変換候補記憶エリア２１に記憶させる。その後、新たに文字入力が行われると、入力されたかな文字を読み仮名の最初に持つ文字及び／又は文字列を変換候補記憶エリア２１から読み出すとともに、読み出した文字及び／又は文字列に装飾情報が割当てられている場合は、装飾を施した文字及び／又は文字列として変換候補表示エリアに表示させる。【選択図】図１
2008146382.tif 000002
【特許請求の範囲】
【請求項１】
文字列の入力を受け付ける入力受付手段と、
前記入力受付手段により入力が受け付けられた所定の文字装飾が施された装飾文字を変換候補として記憶する記憶手段と、
複数の変換候補のうちのいずれか１つの選択を受け付ける変換候補選択受付手段と、
前記記憶手段により変換候補として記憶されている前記装飾文字を表示する表示手段とを備えることを特徴とする情報処理装置。
【請求項２】
前記入力受付手段により、前記記憶手段により変換候補として記憶されている前記装飾文字に対応する文字列の少なくとも一部の入力がさらに受け付けられた後、前記変換候補選択受付手段により変換候補の選択が受け付けられたとき、前記表示手段は、前記記憶手段により変換候補として記憶されている前記装飾文字を表示することを特徴する請求項１に記載の情報処理装置。
【請求項３】
前記入力受付手段により、前記記憶手段により変換候補として記憶されている前記装飾文字に対応する文字列の少なくとも一部の入力がさらに受け付けられた後、前記変換候補選択受付手段により変換候補の選択が受け付けられたとき、前記表示手段は、前記記憶手段により変換候補として記憶されている前記装飾文字を文字の装飾を施さずに表示し、文字装飾の適用を許可する旨の指示の入力が受け付けられたとき、前記表示手段は、前記記憶手段により変換候補として記憶されている前記装飾文字を文字の装飾を施して表示することを特徴する請求項１に記載の情報処理装置。
【請求項４】
前記装飾文字を提供する情報提供装置から無線通信を介して前記装飾文字を取得する取得手段とをさらに備え、
前記記憶手段は、前記取得手段により取得された前記装飾文字を変換候補としてさらに記憶することを特徴とする請求項１に記載の情報処理装置。
【発明の詳細な説明】
【技術分野】
【０００１】
本発明は情報処理装置に係り、特に、文字に文字装飾を施すことができるようにした情報処理装置に関する。
【背景技術】
【０００２】
近年、携帯電話機においては、文字入力画面においてユーザが一度入力した単語などを変換候補として記憶しておき、ユーザにより変換候補として記憶されている単語などに対応する文字列の一部が次に入力されたとき、変換候補として表示部に表示させる技術が知られている。
【０００３】
一方、携帯電話に搭載されたメール機能を用いてメールを作成する場合、メールの文字に様々な装飾を施してメールを作成する技術も提案されている（例えば、特許文献１参照）。
【０００４】
特許文献１に提案されている技術によれば、行単位で文字装飾が設定可能な文書の各行に行マークを付し、各行を区別する行情報および各行の文字装飾情報をコンパクトに表示することができる。
【特許文献１】特開２００３−６７３６４号公報
【発明の開示】
【発明が解決しようとする課題】
【０００５】
しかしながら、特許文献１に提案されている技術では、行単位で文字装飾を関連付けて記憶させることはできるが、ユーザが同じ装飾文字の使用を所望する場合に、ユーザにより一度入力された装飾文字と同じ文字が再度入力されたとしても、ユーザによる文字装飾操作なしに、入力された文字に以前と同様の文字装飾を反映させて表示することはできないため、ユーザは複雑な文字装飾操作を再度行わなければならず、ユーザにとってこのような文字装飾操作は大変煩わしいという課題があった。
【０００６】
本発明は、このような状況に鑑みてなされてものであり、所定の文字装飾が施された装飾文字を変換候補として記憶することができる情報処理装置を提供することを目的とする。
【課題を解決するための手段】
【０００７】
本発明の情報処理装置は、上述した課題を解決するために、文字列の入力を受け付ける入力受付手段と、入力受付手段により入力が受け付けられた所定の文字装飾が施された装飾文字を変換候補として記憶する記憶手段と、複数の変換候補のうちのいずれか１つの選択を受け付ける変換候補選択受付手段と、記憶手段により変換候補として記憶されている装飾文字を表示する表示手段とを備えることを特徴とする。
【０００８】
本発明の情報処理装置においては、文字列の入力が受け付けられ、入力が受け付けられた所定の文字装飾が施された装飾文字が変換候補として記憶され、複数の変換候補のうちのいずれか１つの選択が受け付けられ、変換候補として記憶されている装飾文字が表示される。
【発明の効果】
【０００９】
本発明によれば、所定の文字装飾が施された装飾文字を変換候補として記憶し、この記憶された装飾文字を以後の変換候補として提供することができる。
【発明を実施するための最良の形態】
【００１０】
以下、本発明の実施の形態について、図面を参照しながら説明する。
【００１１】
図１は、本発明に係る情報処理装置として適用可能な携帯電話機の内部の構成を表している。
【００１２】
図１の携帯電話機は、主に制御ユニット１、記憶部２、高周波ユニット３、信号処理ユニット４、ＰＣＭコーデック５、アンテナ６、マイクロフォン７、スピーカ８、ディスプレイ９、入力部１０から構成されている。
【００１３】
図示しない基地局から送信された無線信号は、アンテナ６で受信された後に高周波ユニット３に入力される。高周波ユニット３では、受信された無線信号のダウンコンバートを行って中間周波信号を求め、さらに直交復調処理、ＲＡＫＥ受信機による各パスの逆拡散及び合成処理等が行われる。そして、上記ＲＡＫＥ受信機から出力された受信パケットデータは信号処理ユニット４に入力される。
【００１４】
信号処理ユニット４は、例えばＤＳＰ（Digital Signal Processor）で構成され、前記受信パケットデータをまずメディア毎に分離し、この分離したメディア毎のデータに対してそれぞれ復号処理を施す。
【００１５】
例えば、受信パケットデータにオーディオデータが含まれていれば、このオーディオデータをスピーチ子デックにより復号する。また、受信パケットデータに動画像データが含まれていれば、この動画像データをビデオコーデックにより復号する。更に、受信パケットデータがダウンロードコンテンツであれば、このコンテンツを伸長した後、制御ユニット１に出力する。
【００１６】
上記復号処理により得られたディジタルオーディオ信号は、ＰＣＭコーデック５によりＰＣＭ復号された後、増幅されてスピーカ８により出力される。一方、ビデオコーデックにより復号されたディジタル動画像信号は、制御ユニット１からディスプレイ９に供給され表示される。
【００１７】
一方、マイクロフォン７に入力された話者の音声信号は、図示しない増幅器により増幅された後にＰＣＭコーデック５でＰＣＭ符号化され、これによりディジタルオーディオ信号となって信号処理ユニット４に入力され圧縮符号化される。また、図示しないカメラから出力される動画像信号や、制御ユニット１で作成されたメール等のテキストデータがある場合は、これらも圧縮符号化される。そして圧縮符号化された各送信データは送信パケットデータに多重化された後、高周波ユニット２に入力される。
【００１８】
高周波ユニット２では、上記送信パケットデータに対してスペクトラム拡散処理、ＱＰＳＫ（Quadrature Phase Shift Keying）方式等のディジタル変調方式を使用した変調処理、無線信号へのアップコンバートが施される。そして、このアップコンバートにより生成された無線送信信号は、電力増幅されるとともに送信フィルタリング処理されてからアンテナ６を介して基地局に向けて送信される。
【００１９】
ところで、上記携帯電話機の制御ユニット１及び記憶部２には、本発明に関する構成として、それぞれ図１に示すように予測候補登録機能１１、変換候補呼出し機能１２、変換候補記憶エリア２１、及び辞書データ記憶エリア２２がある。
【００２０】
また、図２及び図３は変換候補記憶エリア２１に登録されている変換候補データの例をそれぞれ示している。
【００２１】
続いて、以上のように構成された携帯電話機の動作について説明する。
【００２２】
（１）変換候補の学習動作
図４は携帯電話機で実行される変換候補の登録の動作を示している。また、図５は変換候補の登録が行われるような、例えば、メール文章の作成のように文字入力を行う際にディスプレイ９に表示される画面を示している。なおこのとき、図５にあるように、ディスプレイ９には、入力された文字が表示される文字表示エリア５１、変換候補が表示される変換候補表示エリア５１−１、入力される文字の装飾を示す装飾ガイド画面５２、装飾機能を設定させるなどの入力部１０に設けられたキー（以下、ソフトキーと称する）が操作された際に実行される機能を示す機能ガイドエリア５３、カーソル５４、装飾メニュー画面５５が適宜表示される。
【００２３】
まず、ユーザによって入力部１０が操作されてメール機能が起動され、文字の入力が開示されると、図５（ａ）にあるように、文字表示エリア５１には既に入力された文字とカーソル５４が表示される。またこのとき、入力する文字に装飾を施す機能は起動されていないため、装飾ガイド画面５２には、装飾が行われないことを示す「指定なし」なるガイドが表示される。
【００２４】
ここで、ユーザが機能ガイドエリア５３に表示されている「装飾」に対応して設けられた入力部１０のソフトキーを操作すると、図５（ｂ）のように装飾メニュー画面５５がディスプレイ９に表示される。このとき、装飾メニュー画面５５には入力する文字にする装飾内容を示す２つの項目「１．中抜き」及び「２．色」、設定されている装飾機能を解除するための項目「３．解除」が表示されており、項目「１．中抜き」が反転表示されているが、これは項目「１.中抜き」が決定操作によって選択される対象となっていることを示している。ユーザがこの状態で決定キーを操作すると、入力部１０の文字入力操作によって中抜き文字が入力されるよう設定が行われる（ステップＳ１）。また、このとき図５（ｃ）に示すように装飾ガイド画面５２には、入力する文字が中抜き文字になることを示すガイド情報として「中抜き」が表示されている。
【００２５】
ここでユーザが入力部１０を操作して「わ」を入力したとすると（ステップＳ２）、変換候補読出し機能１２が実行され、変換候補記憶エリア２１に「わ」で始まる読み仮名をもつ文字が登録されているか検索が行われ（ステップＳ３）、この検索の結果、変換候補が見つかると（ステップＳ４）、変換候補記憶エリア２１から該当する文字又は／及び文字列が読み出され（ステップＳ５）、図５（ｄ）に示すようにディスプレイ９に表示された変換候補表示エリア５１−１に読み出された変換候補の文字及び／又は文字列が表示される（ステップＳ６）。更に、ユーザが入力部１０の変換キーを操作すると、変換候補表示エリア５１−１に表示されている文字及び／又は文字列の選択が可能となり図５（ｅ）に示すようにその中の１つの文字または文字列が反転表示される。
【００２６】
この状態にあるとき、ユーザが、例えば４方向キーを操作して選択対象を示す反転表示を入力したい文字に移動させて決定キーを操作すると（ステップＳ７）、変換候補表示エリア５１−１に表示されている文字又は文字列からの選択が行われて、文字表示エリア５１に選択された文字又は文字列、ここでは中抜きの「ワーイ」が表示される。
【００２７】
そしてこのとき、図２に示すように変換候補記憶エリア２１に装飾情報として「黒」、「中抜き」を持つ変換候補「ワーイ」が登録されていなければ、変換候補登録機能１１が実行されて変換候補記憶エリア２１への登録処理が行われ、図３に示すように記憶されている情報が更新される（ステップＳ８）。
【００２８】
また、ステップＳ４で該当する変換候補が変換候補記憶エリア２１に登録されていないとの結果になると、変換候補表示エリア５１−１は表示されず、入力部１０の変換キーの操作によって辞書データ記憶部２２から該当する文字又は文字列が読み出されてカーソル５４の位置に表示される。そして、このとき表示されている変換対象の文字又は文字列は、変換キーを操作することで次の変換候補へと順次表示の切替えが行われる。そしてこの場合も、変換候補記憶エリア２１への登録処理が行われる。
【００２９】
次に、図６を用いて変換候補を登録する別の例について説明する。
【００３０】
図５の例では、入力する文字に対して装飾を施す場合、文字を入力する前に装飾機能を起動させているが、この例では一旦文字又は文字列を入力した後に装飾を施す点で異なっている。
【００３１】
まず入力部１０が操作されてメール機能が起動され、文字の入力が開示されると、図６（ａ）にあるように、文字表示エリア５１には既に入力された文字とカーソル５４が表示される。そして、ユーザが入力部１０を操作してさらに文字入力を続け、「わ」を入力すると、制御ユニット１は変換候補読出し機能１２を実行して変換候補記憶エリア２１に「わ」で始まる読み仮名を持つ文字又は／及び文字列が登録されていないか検索し、この結果、該当する文字又は／及び文字列が検索された場合は、変換候補表示エリア５１−１に表示させる。このとき、文字表示エリア５１のカーソル５４の位置には入力された「わ」が表示される。このとき、ディスプレイ９には図６（ｂ）のような画面が表示されている。
【００３２】
続いて、ユーザが入力部１０の変換キーを操作すると、変換候補表示エリア５１−１に表示されている文字又は文字列の選択が可能となり、図６（ｃ）のように、変換候補表示エリア５１−１に表示されている文字又は文字列の一つが反転表示される。そして、変換候補表示エリア５１−１に表示されている文字又は文字列の中から入力する文字又は文字列の選択、すなわち、文字又は文字列の反転表示を移動させて決定キーの操作を行うと、選択された文字又は文字列が文字表示エリア５１の「わ」が表示されていた位置を先頭にして表示される。この場合、選択されたのが「ワーイ」であるため、ディスプレイ９には図６（ｄ）の画面が表示される。
【００３３】
ここで、機能ガイドエリア５３には、ソフトキーの操作で実行される機能として装飾範囲を設定する機能を示す「範囲」と、文字又は文字列を装飾する機能を示す「装飾」が表示されている。そこで、ユーザが既に入力した文字又は文字列に装飾を施す場合は、「範囲」に対応したソフトキーを操作すればよい。なお、「範囲」に対応したソフトキーを操作することなく、「装飾」に対応したソフトキーを操作した場合は、図５に示したのと同じ処理で文字又は文字列に対する装飾が行われる。
【００３４】
さて、ここでユーザが機能ガイドエリア５３に表示されている「範囲」に対応したソフトキーを操作したとすると、図６（ｅ）に示されるように装飾ガイド画面５２には、「始点を指示してください」とのガイドが表示されるとともに、機能ガイドエリア５３には開始位置を確定させるための「確定」が表示される。そして、ユーザは入力部１０の４方キーを操作してカーソル５４を、装飾を施したい最初の文字、この例では図６（ｆ）に示すように「ワ」に移動させ、「確定」に対応したソフトキーを押して開始位置を決定する。この決定が行われると、図６（ｇ）に示すように機能ガイドエリア５３には「終点を指定してください」が表示される。
【００３５】
同様に、４方向キーを操作して装飾を施したい最後の文字、この例では「イ」に移動させると（装飾を施すのが１文字であれば４方向キーは操作不要。）、図６（ｈ）に示すように、装飾対象となっている文字又は文字列が反転表示され、この状態で「確定」に対応するソフトキーを操作して装飾する文字または文字列が確定させる。そして、文字又は文字列を確定させた後、「装飾」に対応したソフトキーを操作すると、図６（ｉ）に示すように装飾メニュー画面５５が表示される。
【００３６】
ユーザが装飾として「１．中抜き」を選択する場合は、この状態、つまり項目「１．中抜き」が反転されている状態で、確定キー（例えば４方向キーの中心位置に設けられたキー）を操作すればよい。また、他の項目を選択する場合は４方向キーを操作して所望とする項目を反転表示させればよい。
【００３７】
ここでは、項目「１．中抜き」が選択されたとする。すると、図６（ｊ）に示すように、装飾範囲として指定された「ワーイ」が中抜き文字として表示される。
【００３８】
そしてこのときも、図２に示すように変換候補記憶エリア２１に装飾情報として「黒」、「中抜き」を持つ変換候補「ワーイ」が登録されていなければ、変換候補登録機能１１が実行されて変換候補記憶エリア２１への登録処理が行われ、図３に示すように記憶されている情報が更新される。
【００３９】
（２）変換候補の読出し動作
次に、変換候補を読み出すときの動作について説明する。
【００４０】
図７は携帯電話機で実行される変換候補の読み出し動作を示している。また、図８は変換候補の読み出しが行われるような、例えば、メール文章の作成のように文字入力を行う際にディスプレイ９に表示される画面を示している。
【００４１】
まず、ユーザによって入力部１０が操作されてメール機能が起動され、文字の入力が開示されると、図８（ａ）にあるように、文字表示エリア５１には既に入力の確定されている文字とカーソル５４が表示される。
【００４２】
ここでユーザが、入力部１０を操作して文字「わ」を入力すると（ステップＳ７１）、制御ユニット１は変換候補読出し機能１２を実行し、記憶部２の変換候補記憶エリア２１に「わ」で始まる読み仮名を持つ文字又は／及び文字列が変換候補として登録されているか検索する（ステップＳ７２）。
【００４３】
ここで制御ユニット１が、変換候補が変換候補記憶エリア２１に登録されていないと判断すると（ステップＳ７３）、変換候補記憶エリア２１からの読出しを終了させる。この場合は、入力部１０の変換キーの操作によって辞書データ記憶部２２から該当する文字又は文字列が読み出されてカーソル５４の位置に表示される。
【００４４】
上記ステップＳ７３で、制御ユニット１が変換候補記憶エリア２１に読み仮名が「わ」で始まる文字又は文字列があると判断すると、該当する文字又は／及び文字列を読み出す（ステップＳ７４）。
【００４５】
続いて制御ユニット１は、読み出した変換候補の文字又は／及び文字列ごとに、装飾情報があるか否かを確認し（ステップＳ７５）、装飾情報がなければ文字又は／及び文字列がそのまま変換候補表示エリア５１−１に表示され（ステップＳ７８）、装飾情報があれば文字、文字列ごとに装飾情報を読み出し（ステップＳ７６）、各文字、文字列に装飾情報に従った装飾を施して変換候補表示エリア５１−１に表示する（ステップＳ７７）。ここでは、文字列「ワーイ」のみが装飾情報を有しているため、図８（ｂ）のように変換候補表示エリア５１−１中にはワーイのみが中抜き文字として表示されている。
【００４６】
ここで、ユーザが入力部１０の変換キーを操作すると、図８（ｃ）に示すように変換候補表示エリア５１−１に表示されている変換候補の一つが反転表示され、この変換候補表示エリア５１−１に表示されている変換候補の中から選択することが可能となる。そして、変換候補が複数表示されている場合は、４方向キーを操作して選択する変換候補を反転表示させ、入力部１０の確定キーを操作する。中抜き文字の「ワーイ」を選択する場合は、４方向キーを操作して図８（ｄ）に示すように中抜き文字の「ワーイ」を反転表示させ、確定キーを操作すればよい。そしてこのような操作が行われると、選択された中抜き文字の「ワーイ」が図８（ｅ）に示すように文字表示エリア５１に表示されていた「わ」に置き換わって表示される。
【００４７】
このように、過去に入力された文字又は／及び文字列に装飾が施された場合は、この装飾情報とともに変換候補記憶エリア２１に記憶させ、変換候補を表示する際は、装飾情報に基づいて装飾が施された文字及び／又は文字列として変換候補表示エリア５１−１に表示されるため、簡単な操作で装飾を施した文字及び／又は文字列を入力することができる。
【００４８】
次に、変換候補を読み出す他の例について、図９を用いて説明する。
【００４９】
まず、ユーザによって入力部１０が操作されてメール機能が起動され、文字の入力が開示されると、図９（ａ）にあるように、文字表示エリア５１には既に入力の確定されている文字とカーソル５４が表示される。
【００５０】
ここでユーザが、入力部１０を操作して文字「わ」を入力すると、制御ユニット１は変換候補読出し機能１２を実行し、記憶部２の変換候補記憶エリア２１に「わ」で始まる読み仮名を持つ文字又は／及び文字列が変換候補として登録されているか検索する。
【００５１】
ここで制御ユニット１が、変換候補が変換候補記憶エリア２１に登録されていないと判断すると、変換候補記憶エリア２１からの読出しを終了させる。この場合は、入力部１０の変換キーの操作によって辞書データ記憶部２２から該当する文字又は文字列が読み出されてカーソル５４の位置に表示される。
【００５２】
制御ユニット１が変換候補記憶エリア２１に読み仮名が「わ」で始まる文字又は文字列があると判断すると、該当する文字又は／及び文字列を読み出す。
【００５３】
続いて制御ユニット１は、読み出した変換候補の文字又は／及び文字列ごとに、装飾情報があるか否かを確認し、装飾情報がなければ文字又は／及び文字列がそのまま変換候補表示エリア５１−１に表示され、装飾情報があれば文字、文字列ごとに装飾情報を読み出し、各文字、文字列に装飾情報に従った装飾を施して変換候補表示エリア５１−１に表示する。ここでは、文字列「ワーイ」のみが装飾情報を有しているため、図９（ｂ）のように変換候補表示エリア５１−１中にはワーイのみが中抜き文字として表示されている。
【００５４】
ここで、ユーザが入力部１０の変換キーを操作すると、図９（ｃ）に示すように変換候補表示エリア５１−１に表示されている変換候補の一つが反転表示され、この変換候補表示エリア５１−１に表示されている変換候補の中から選択することが可能となる。また、反転表示されている変換候補の文字又は文字列に関する装飾の状態を示すための装飾ガイド画面５２の表示も行われる。
【００５５】
そして、変換候補が複数表示されている場合は、４方向キーを操作して選択する変換候補を反転表示させ、入力部１０の確定キーを操作する。中抜き文字の「ワーイ」を選択する場合は、４方向キーを操作して図９（ｄ）に示すように中抜き文字の「ワーイ」を反転表示させ（このとき装飾ガイド画面５２には、「ワーイ」が中抜き文字であることを示す情報が表示されている。）、確定キーを操作すればよい。そしてこのような操作が行われると、選択された中抜き文字の「ワーイ」が図９（ｅ）に示すように文字表示エリア５１に表示されていた「わ」に置き換わって表示される。
【００５６】
次に、変換候補を読み出す更に他の例について、図１０を用いて説明する。
【００５７】
まず、ユーザによって入力部１０が操作されてメール機能が起動され、文字の入力が開示されると、図１０（ａ）にあるように、文字表示エリア５１には既に入力の確定されている文字とカーソル５４が表示される。
【００５８】
ここでユーザが、入力部１０を操作して文字「わ」を入力すると、制御ユニット１は変換候補読出し機能１２を実行し、記憶部２の変換候補記憶エリア２１に「わ」で始まる読み仮名を持つ文字又は／及び文字列が変換候補として登録されているか検索する。
【００５９】
ここで制御ユニット１が、変換候補が変換候補記憶エリア２１に登録されていないと判断すると、変換候補記憶エリア２１からの読出しを終了させる。この場合は、入力部１０の変換キーの操作によって辞書データ記憶部２２から該当する文字又は文字列が読み出されてカーソル５４の位置に表示される。
【００６０】
一方、制御ユニット１が変換候補記憶エリア２１に読み仮名が「わ」で始まる文字又は文字列があると判断すると、該当する文字又は／及び文字列を読み出して図１０（ｂ）に示すように変換候補表示エリア５１−１に読み出した文字及び／又は文字列を表示させる。なお、ここでは上記２つの例とは異なり、装飾情報が存在している場合でも装飾した文字及び／又は文字列の表示は行わない。
【００６１】
ここで、ユーザが変換候補表示エリア５１−１に表示されている候補の中から文字又は文字列を選択する場合は、変換キーの操作を行う。すると、図１０（ｃ）に示すように変換候補表示エリア５１−１に表示されている文字又は文字列の一つが反転表示される。
【００６２】
このとき、制御ユニット１は反転表示された文字列「ワーイ」に装飾情報を有するものがあるか変換候補記憶エリア２１を検索する。
【００６３】
ここでは図３に示すように文字列「ワーイ」には装飾情報として「中抜き」が割当てられているものがあるため、これを検出した制御ユニット１は、装飾メニュー画面５５を表示させ、文字列「ワーイ」として通常の文字か中抜き文字のいずれかで入力できることをユーザに知らせる。
【００６４】
なお、装飾メニュー画面５５に表示されている項目「１．中抜き」と「２．通常」のうち、選択可能な項目は反転表示されているため、４方向キーおよび確定キーの操作を行っていずれで入力するかの選択を行う。
【００６５】
この結果、例えば中抜き文字の「ワーイ」が選択されると、変換候補選択表示エリア５１−１はディスプレイ９から消え、図１０（ｄ）に示すように選択された中抜き文字の「ワーイ」が文字表示エリア５１に表示される。
【００６６】
この例では、変換候補として最初に表示される文字及び／又は文字列は装飾されていない状態で表示され、選択対象となった際、つまり反転表示された際にこの文字又は文字列に装飾情報が割当てられているものが変換候補記憶エリア２１に存在するか確認し、存在する場合は装飾メニュー画面５５を用いて選択できるようにしているため、変換候補表示エリア５１−１にはより多くの種類の文字及び／又は文字列が表示されるため、上記に示した例に加え、よりスムーズに選択することが可能となる。
【図面の簡単な説明】
【００６７】
【図１】本発明に係る情報処理装置に適用可能な携帯電話機の内部の構成を示すブロック図。
【図２】図１の携帯電話機の変換候補記憶エリアに記憶されている変換候補の状態を示す図。
【図３】図１の携帯電話機の変換候補記憶エリアに記憶されている変換候補の状態を示す図。
【図４】変換候補記憶エリアに変換候補が登録される処理を示すフローチャート。
【図５】変換候補記憶エリアに変換候補が登録される際の文字入力動作を示す図。
【図６】変換候補記憶エリアに変換候補が登録される際の文字入力動作を示す図。
【図７】変換候補記憶エリアに登録されている変換候補を読み出す処理を示すフローチャート。
【図８】変換候補記憶エリアから変換候補が読み出される際の文字入力動作を示す図。
【図９】変換候補記憶エリアから変換候補が読み出される際の文字入力動作を示す図。
【図１０】変換候補記憶エリアから変換候補が読み出される際の文字入力動作を示す図。
【符号の説明】
【００６８】
１・・・制御ユニット、２・・・記憶部、３・・・高周波ユニット、４・・・信号処理ユニット、５・・・ＰＣＭコーデック、６・・・アンテナ、７・・・マイクロフォン、８・・・スピーカ、９・・・ディスプレイ、１０・・・入力部、１１・・・変換候補登録機能、１２・・・変換候補読出し機能、２１・・・変換候補記憶エリア、２２・・・辞書データ記憶エリア、５１・・・文字表示エリア、５１−１・・・変換候補表示エリア、５２・・・装飾ガイド画面、５３・・・機能ガイドエリア、５４・・・カーソル、５５・・・装飾メニュー画面。
【図１】
2008146382.tif 000003
【図２】
2008146382.tif 000004
【図３】
2008146382.tif 000005
【図４】
2008146382.tif 000006
【図５】
2008146382.tif 000007
【図６】
2008146382.tif 000008
【図７】
2008146382.tif 000009
【図８】
2008146382.tif 000010
【図９】
2008146382.tif 000011
【図１０】
2008146382.tif 000012